(57)【要約】【課題】本発明はプレビューページを提供する超音波システム及び方法に関する。【解決手段】本発明の超音波システムは、少なくとも一つの対象体に関する情報を含む複数のリポートページを格納する格納部と、前記複数のリポートページと一対一の対応関係を有する複数のプレビューページを形成し、前記複数のプレビューページと前記複数のリポートページをディスプレイするように制御するプロセシング部と、前記複数のプレビューページのうち所定個数のプレビューページと前記複数のリポートページのうちいずれか一つのリポートページを同時にディスプレイするディスプレイ部と、前記所定個数のプレビューページのうちいずれか一つのプレビューページの選択のための選択要請をユーザから入力を受ける入力部を備え、前記プロセシング部は、前記ディスプレイ部にディスプレイされたリポートページを前記選択要請に応じて選択されたプレビューページに対応するリポートページに交換してディスプレイする。【選択図】図１
2010036033.tif 000002
【特許請求の範囲】
【請求項１】
超音波システムであって、
少なくとも一つの対象体に関する情報を含む複数のリポートページを格納する格納部と、
前記複数のリポートページと一対一の対応関係を有する複数のプレビューページを形成し、前記複数のプレビューページと前記複数のリポートページをディスプレイするように制御するプロセシング部と、
前記複数のプレビューページのうち所定個数のプレビューページと前記複数のリポートページのうちいずれか一つのリポートページを同時にディスプレイするディスプレイ部と、
前記所定個数のプレビューページのうちいずれか一つのプレビューページの選択のための選択要請をユーザから入力を受ける入力部を備え、
前記プロセシング部は、前記ディスプレイ部にディスプレイされたリポートページを前記選択要請に応じて選択されたプレビューページに対応するリポートページに交換してディスプレイすることを特徴とする超音波システム。
【請求項２】
前記プロセシング部は、
ユーザによりカーソルが前記所定個数のプレビューページのうちいずれか一つのプレビューページに移動する場合、前記いずれか一つのプレビューページを拡大するようにさらに動作することを特徴とする請求項１に記載の超音波システム。
【請求項３】
前記プレビューページは、前記ディスプレイ部の画面の下方または前記画面の横の方にディスプレイされることを特徴とする請求項２に記載の超音波システム。
【請求項４】
前記プロセシング部は、
ユーザからのレイアウト変更要請に応じて前記画面上での前記プレビューページの位置を変更することを特徴とする請求項３に記載の超音波システム。
【請求項５】
プレビューページ提供方法であって、
少なくとも一つの対象体に関する情報を含み、格納部に格納されている複数のリポートページに関するディスプレイ要請の入力を受ける段階と、
前記複数のリポートページに一対一の対応関係を有する複数のプレビューページを形成する段階と、
前記複数のプレビューページのうち所定個数のプレビューページと前記複数のリポートページのうちいずれか一つのリポートページを同時にディスプレイ部にディスプレイする段階と、
前記所定個数のプレビューページのうちいずれか一つのプレビューページをユーザから選択され、前記ディスプレイされたリポートページを前記ユーザによって選択されたプレビューページに対応するリポートページに交換する段階と
を備えることを特徴とするプレビューページ提供方法。
【請求項６】
ユーザによってカーソルが前記所定個数のプレビューページのうちいずれか一つのプレビューページに移動する場合、前記いずれか一つのプレビューページを拡大する段階をさらに備えることを特徴とする請求項５に記載のプレビューページ提供方法。
【請求項７】
前記プレビューページは、前記ディスプレイ部の画面の下方または前記画面の横の方にディスプレイされることを特徴とする請求項６に記載のプレビューページ提供方法。
【請求項８】
前記画面上でのプレビューページの位置はユーザからのレイアウト変更要請に応じて変更されることを特徴とする請求項７に記載のプレビューページ提供方法。
【発明の詳細な説明】
【技術分野】
【０００１】
本発明は、超音波システムに関し、特にプレビュー（ｒｅｐｏｒｔ  ｐｒｅｖｉｅｗ）ページを提供する超音波システム及び方法に関する。
【背景技術】
【０００２】
一般に、超音波システムは被検体の体表から体内の所望部位に向かって超音波信号を照射し、反射された超音波信号（超音波エコー信号）の情報を用いて軟部組織の断層や血流に関する映像を無侵襲で得る装置である。この装置はＸ線診断装置、Ｘ線ＣＴスキャナ（Ｃｏｍｐｕｔｅｒｉｚｅｄ  Ｔｏｍｏｇｒａｐｈｙ  Ｓｃａｎｎｅｒ）、ＭＲＩ（Ｍａｇｎｅｔｉｃ  Ｒｅｓｏｎａｎｃｅ  Ｉｍａｇｅ）、核医学診断装置などの他の画像診断装置と比較すると、小型で低廉であり、リアルタイムでディスプレイ可能で、Ｘ線などの被爆がなく安全性の高い長所を有しており、心臓、腹部、泌尿器及び産婦人科診断のために広く用いられている。
【０００３】
超音波システムは、獲得した映像から特定部分の距離、面積などを測定する測定（ｍｅａｓｕｒｅｍｅｎｔ）機能を提供する。また、超音波システムは測定された内容の確認、グラフを用いた比較分析及び測定結果値の検討のためのリポート機能を提供する。このようなリポート機能の利用頻度は引き続き増加している。
【０００４】
超音波システムのリポート機能は、大きく次の２方式に分けることができる。最初の方式は、複数のリポートページを区分してディスプレイし、特定ボタンを用いて前後ページに移動が可能な方式である。２番目の方式は、ページの区分なく全体を一つのページに見せてから上下左右方向へのスクロールを用いて所望の部分へ移動を可能にする方式である。また、２番目の方式の短所を補完するために一部はリポート内容のアイテムをグルーピングしたタイトルのリストを形成してスクリーンの左側に示しながらグルーピングされたタイトルを選択し、一度に所望の領域に移動できる方法を用いることもある。
【０００５】
前記方式は、全体ページ構成を一目瞭然に見られない短所を有しており、ユーザが所望のページへの移動が１度にできず、ユーザが一度に複数のページを選択できないため、複数の反復作業を行わなければならない問題がある。
【先行技術文献】
【特許文献】
【０００６】
【特許文献１】特開平９−１７３３３２号公報
【発明の概要】
【発明が解決しようとする課題】
【０００７】
本発明は、プレビューページを提供する超音波システム及び方法を提供する。
【課題を解決するための手段】
【０００８】
本発明の超音波システムは、少なくとも一つの対象体に関する情報を含む複数のリポートページを格納する格納部と、前記複数のリポートページと一対一の対応関係を有する複数のプレビューページを形成し、前記複数のプレビューページと前記複数のリポートページをディスプレイするように制御するプロセシング部と、前記複数のプレビューページのうち所定個数のプレビューページと前記複数のリポートページのうちいずれか一つのリポートページを同時にディスプレイするディスプレイ部と、前記所定個数のプレビューページのうちいずれか一つのプレビューページの選択のための選択要請をユーザから入力を受ける入力部を備え、前記プロセシング部は、前記ディスプレイ部にディスプレイされたリポートページを前記選択要請に応じて選択されたプレビューページに対応するリポートページに交換してディスプレイする。
【０００９】
また、本発明のプレビューページ提供方法は、少なくとも一つの対象体に関する情報を含み、格納部に格納されている複数のリポートページに関するディスプレイ要請の入力を受ける段階と、前記複数のリポートページに一対一の対応関係を有する複数のプレビューページを形成する段階と、前記複数のプレビューページのうち所定個数のプレビューページと前記複数のリポートページのうちいずれか一つのリポートページを同時にディスプレイ部にディスプレイする段階と、前記所定個数のプレビューページのうちいずれか一つのプレビューページをユーザから選択され、前記ディスプレイされたリポートページを前記ユーザによって選択されたプレビューページに対応するリポートページに交換する段階とを備える。
【発明の効果】
【００１０】
本発明の超音波システムは、リポート全体ページの構成を一目瞭然に提供することができ、リポートページ間の移動が自由であり、現在ページの位置を確認することができるので利便性を提供することができる。
【図面の簡単な説明】
【００１１】
【図１】本発明の実施例による超音波システムの構成を示すブロック図である。
【図２】本発明の実施例によってディスプレイ部にリポートページ及びプレビューページをディスプレイした例を示す例示図である。
【図３】本発明の実施例によってディスプレイ部にリポートページ及びプレビューページをディスプレイした例を示す例示図である。
【図４】本発明の実施例によるプレビューのページ拡大機能を示す例示図である。
【発明を実施するための形態】
【００１２】
以下、添付した図面を参照して本発明の実施例について詳細に説明する。
【００１３】
図１は、本発明の実施例による超音波システムの構成を示すブロック図である。超音波システム１００は超音波映像提供部１１０、格納部１２０、プロセシング部１３０、ディスプレイ部１４０及び入力部１５０を備える。
【００１４】
超音波映像提供部１１０は、複数の超音波映像を提供する。超音波映像提供部１１０は超音波映像をリアルタイムで提供する測定装置または超音波映像を提供する格納装置であってもよい。
【００１５】
格納部１２０は、少なくとも一つの対象体に関する情報を含むリポートページを格納する。対象体は患者を含むことができ、情報は患者の名前、患者の年齢、患者の性別、患者の超音波映像などを含むことができる。リポートページは測定結果をさらに含むことができる。測定結果は超音波映像に設定された２地点間の直線距離、超音波映像に設定された２地点間の非直線距離、超音波映像に設定された２次元領域の周り及び面積、超音波映像に設定された３次元領域の体積などであってもよい。
【００１６】
リポートページは、多様な必要によって編集できる。例えば、少なくとも二つ以上のリポートページがディスプレイ部１４０に順にディスプレイされる場合、ユーザは互いに異なるリポートページのうち少なくとも二つ以上のリポートページの一部分を選択することができる。その一部分はリポートページ上で選択できる。例えば、ユーザは複数のリポートページのうち連続する第１のリポートページの下端部と第２のリポートページの上端部を選択することができる。また、ユーザは連続しない第１のリポートページの一部分と第４のリポートページの一部分とを選択することができる。編集されたリポートページは、もう一つのリポートページとして認められる。
【００１７】
プロセシング部１３０は、リポートページに関する複数のプレビューページを形成し、リポートページとプレビューページのディスプレイを制御する。プレビューページとリポートページとは一対一の対応関係を有する。プレビューページはリポートページの縮小映像であるか或いは小型化された映像であってもよい。プロセシング部１３０は入力部１５０からリポートページ検索要請を受ければ格納部１２０でリポートページを検索する。リポートページ検索要請は、格納部１２０に格納されている特定リポートページまたは全てのリポートページに関する要請であってもよい。リポートページ検索要請に応答し、プロセシング部１３０はユーザによる要請されたリポートページに対応するプレビューページを形成する。プロセシング部１３０の制御下で、ユーザによって選択された特定プレビューページに対応するリポートページと複数のプレビューページがディスプレイ部１４０の画面１４１上にディスプレイされる。図２及び図３を参照すれば、ユーザがスクロールボタン（Ｓ）を押したりドラッグ（ｄｒａｇ）する場合、プロセシング部１３０はプレビューページ領域にディスプレイされたプレビューページＰＶ＿１またはＰＶ＿４の前または後に位置したプレビューページを検索し、検索されたプレビューページをディスプレイ部１４０にディスプレイする。このような方式で、プレビューページは左右または上下に順次または逆順に移動できる。
【００１８】
ユーザが入力部１５０のエンターキー（図示せず）またはカーソル（Ｃ）を用いてプレビューページＰＶ＿Ｎのうちいずれか一つを選択すれば、プロセシング部１３０は選択されたプレビューページをリポートページとして画面１４１上のリポートページ領域１４３にディスプレイする。また、プロセシング部１３０は選択されたプレビューページＰＶ＿１がリポートページとして画面１４１上にディスプレイされるということを見せるために選択されたプレビューページＰＶ＿１の境界に表示記号（Ｂ）をディスプレイする。
【００１９】
リポートページ領域１４３とプレビューページ領域１４５とは、図２に示したように画面１４１の上下に配置されたり、図３に示したように画面１４１の左右に配置され得る。リポートページ領域１４３とプレビューページ領域１４５とのレイアウトはレイアウト変更要請に応じて変更され得る。プリント要請の入力を受ければ、要請されたリポートページ及び／又はプレビューページはプリント出力できる。
【００２０】
図４を参照すれば、ユーザがプレビューページ領域１４５のいずれか一つのプレビューページ（例えば、ＰＶ＿２）にカーソル（Ｃ）を移動させると、プロセシング部１３０は該当プレビューページＰＶ＿２を明確に見ることができるようにするために該当プレビューページＰＶ＿２を拡大させる。
【００２１】
ディスプレイ部１４０は、プロセシング部１３０の制御下で全てのプレビューページのうち、予め定められた個数のプレビューページＰＶ＿１〜ＰＶ＿４と複数のリポートページのうちいずれか一つのリポートページを同時にディスプレイする。ディスプレイ部１４０は、複数のリポートページのうちいずれか一つのリポートページＲＰ＿Ｎをリポートページ領域１４３にディスプレイし、複数のプレビューページのうち予め設定された個数のプレビューページＰＶ＿１〜ＰＶ＿４をプレビューページ領域１４５に同時にディスプレイする。また、図２及び図３に示したように、ディスプレイ部１４０はプレビューページ領域１４５の両側にスクロールボタン（Ｓ）をディスプレイする。図２〜図４を参照すれば、一つのリポートページＲＰ＿Ｎと複数のプレビューページＰＶ＿Ｎが共にディスプレイ部１４０の画面１４１上にディスプレイされる。画面１４１上にディスプレイされたリポートページＲＰ＿Ｎはユーザからのプレビューページ選択要請の変化に応じて変更され得る。
【００２２】
再び図１を参照すれば、入力部１５０はコントロールパネル、マウス、キーボードなどを備える。入力部はユーザから編集要請、リポートページ検索要請、プレビューページ選択要請、レイアウト変更要請及びプリント要請などの入力を受けることができる。
【００２３】
本発明の属する技術分野の当業者は、本発明がその技術的思想や必須の特徴を設定せず、他の具体的な形態で実施できるということを理解することができる。従って、以上で記述した実施例は全ての面で例示的なものであり、限定的ではないことを理解しなければならない。本発明の範囲は前記詳細な説明よりは後述する特許請求の範囲によって示され、特許請求の範囲の意味及び範囲、そしてその等価概念から導き出される全ての設定または変形された形態が本発明の範囲に含まれるものと解釈されなければならない。
【符号の説明】
【００２４】
１００：超音波システム
１１０：超音波映像提供部
１２０：格納部
１３０：プロセシング部
１４０：ディスプレイ部
１４１：画面
１４３：リポートページ領域
１４５：プレビューページ領域
１５０：入力部
ＲＰ＿Ｎ：リポートページ
ＰＶ＿Ｎ：プレビューページ
Ｓ：スクロールボタン
Ｂ：表示記号
Ｃ：カーソル
ＥＲ：拡大されたプレビュー映像
【図１】
2010036033.tif 000003
【図２】
2010036033.tif 000004
【図３】
2010036033.tif 000005
【図４】
2010036033.tif 000006